(57)【要約】      （修正有）【課題】隣接する敷物を連結し、さらに下面に滑り止めが備えられた敷物連結用の接続具及び敷物セットを提供する。【解決手段】接続具２は、上面に面ファスナ用係合部１９が備えられた帯状の本体１６と、本体１６の下面に略全面にわたって重合されて、かがり縫いにより固定された帯状の滑り止め１７を有する。面ファスナ用係合部１９が、隣接する敷物１下面の面ファスナ用係合部１４に係脱自在に係合されることで、隣接する敷物１が分離可能に連結される。滑り止め１７には、下方に開口する孔が形成されている。【選択図】図３
0003182057.tif 000002
【実用新案登録請求の範囲】
【請求項１】
上面に面ファスナ用係合部が備えられ、この係合部が、隣接する敷物下面の面ファスナ用係合部に係脱自在に係合されることで、隣接する敷物が分離可能に連結される接続具において、
下面に滑り止めが備えられた接続具。
【請求項２】
滑り止めが下面に略全面にわたって備えられた請求項１記載の接続具。
【請求項３】
接続具が帯状とされた請求項１又は２記載の接続具。
【請求項４】
Ａ．上面に面ファスナ用係合部が備えられた帯状の本体と、
Ｂ．本体の下面に略全面にわたって重合されて、固定された帯状の滑り止め
を有する請求項１〜３の何れかに記載の接続具。
【請求項５】
滑り止めに、下方に開口する孔及び／又は凹部が形成された請求項１〜４の何れかに記載の接続具。
【請求項６】
本体と滑り止めが、異なる材料により形成された請求項１〜５の何れかに記載の接続具。
【請求項７】
Ａ．外周縁部の下面に面ファスナ用係合部が備えられ、複数並設される敷物と、
Ｂ．隣接する敷物下面の面ファスナ用係合部に係脱自在に係合されることで、隣接する    敷物が分離可能に連結される請求項１〜６の何れかに記載の接続具
を有する敷物セット。
【請求項８】
敷物が、
Ａ．主体と、
Ｂ．横断面が略Ｕ形状となるように、折り曲げられ、その内部に主体の外周縁部が挿入    されて、これと縫合されると共に、外面が起毛されることで、面ファスナ用係合部が    形成されたヘムテープ
を有する請求項７記載の敷物セット。
【請求項９】
下面に面ファスナ用係合部が備えられた帯状のカバーを有し、
カバーの面ファスナ用係合部が、隣接する敷物のヘムテープにおける、上側の面ファスナ用係合部に係脱自在に係合されることで、カバーにより、隣接する敷物の外周縁部が上側から覆被される請求項８記載の敷物セット。  
【請求項１０】
敷物が、
Ａ．主体と、
Ｂ．横断面が略Ｕ形状となるように、折り曲げられ、その内部に主体の外周縁部が挿入    されて、これと縫合されたヘムテープと、
Ｃ．帯状とされて、主体の外周縁部の下方に配置され、その幅方向一側部が主体下面と    ヘムテープ間に挿入されて、これらと縫合されると共に、幅方向他側部が外部に露出    され、少なくとも幅方向他側部の下面に面ファスナ用係合部が形成された被接続体
を有する請求項７記載の敷物セット。
【請求項１１】
主体が、
Ａ．上下に重合された上側・下側布地と、
Ｂ．これら布地間に挟み込まれた中入れ材
を有する請求項８〜１０の何れかに記載の敷物セット。
【請求項１２】
敷物が、
Ａ．主体と、
Ｂ．帯状とされて、主体の外周縁部の下面に重合され、かがり縫いにより、主体に固定    されると共に、下面に面ファスナ用係合部が形成された被接続体
を有する請求項７記載の敷物セット。
【考案の詳細な説明】
【技術分野】
【０００１】
本考案は、接続具及び敷物セットに関する。
【背景技術】
【０００２】
部屋の床に敷かれる敷物セットでは、並設される複数の敷物と、隣接する敷物をその下側で面ファスナを利用して分離可能に連結する接続具を有するものがある。このようなものでは、敷物を小さくすることで、洗濯を容易に行えると共に、敷物を敷く箇所の面積の大小に容易に対応できる利点がある。
【０００３】
ところで、上記のような敷物セットでは、接続具が床に当接するが、上記従来においては、接続具の下面には何の加工も施されていなかった。このため、人が敷物セットにおける、接続具の上方側部分を踏んだ際には、接続具が床上を滑り易く、危険であるという問題があった。
【考案の概要】
【考案が解決しようとする課題】
【０００４】
解決しようとする問題点は、隣接する敷物を連結する接続具が滑り易く、危険であった点である。
本考案は、上記問題点を解決できる接続具及び敷物セットを提供することを目的とする。
【課題を解決するための手段】
【０００５】
上記目的を達成するために、本考案の接続具の特徴とするところは、上面に面ファスナ用係合部が備えられ、この係合部が、隣接する敷物下面の面ファスナ用係合部に係脱自在に係合されることで、隣接する敷物が分離可能に連結される接続具において、下面に滑り止めが備えられた点にある。
尚、滑り止めが下面に略全面にわたって備えられることもある。
又、接続具が帯状とされることもある。
更に、Ａ．上面に面ファスナ用係合部が備えられた帯状の本体と、Ｂ．本体の下面に略全面にわたって重合されて、固定された帯状の滑り止めを有することもある。
又、滑り止めに、下方に開口する孔及び／又は凹部が形成されることもある。
更に、本体と滑り止めが、異なる材料により形成されることもある。
又、本考案の敷物セットの特徴とするところは、Ａ．外周縁部の下面に面ファスナ用係合部が備えられ、複数並設される敷物と、Ｂ．隣接する敷物下面の面ファスナ用係合部に係脱自在に係合されることで、隣接する敷物が分離可能に連結される上記接続具を有する点にある。
尚、敷物が、Ａ．主体と、Ｂ．横断面が略Ｕ形状となるように、折り曲げられ、その内部に主体の外周縁部が挿入されて、これと縫合されると共に、外面が起毛されることで、面ファスナ用係合部が形成されたヘムテープを有することもある。
又、下面に面ファスナ用係合部が備えられた帯状のカバーを有し、カバーの面ファスナ用係合部が、隣接する敷物のヘムテープにおける、上側の面ファスナ用係合部に係脱自在に係合されることで、カバーにより、隣接する敷物の外周縁部が上側から覆被されることもある。
更に、敷物が、Ａ．主体と、Ｂ．横断面が略Ｕ形状となるように、折り曲げられ、その内部に主体の外周縁部が挿入されて、これと縫合されたヘムテープと、Ｃ．帯状とされて、主体の外周縁部の下方に配置され、その幅方向一側部が主体下面とヘムテープ間に挿入されて、これらと縫合されると共に、幅方向他側部が外部に露出され、少なくとも幅方向他側部の下面に面ファスナ用係合部が形成された被接続体を有することもある。
又、主体が、Ａ．上下に重合された上側・下側布地と、Ｂ．これら布地間に挟み込まれた中入れ材を有することもある。
更に、敷物が、Ａ．主体と、Ｂ．帯状とされて、主体の外周縁部の下面に重合され、かがり縫いにより、主体に固定されると共に、下面に面ファスナ用係合部が形成された被接続体を有することもある。
【考案の効果】
【０００６】
本考案によれば、接続具の下面に滑り止めを備えたので、人が敷物セットにおける、接続具の上方側部分を踏んだ際でも、接続具が床上を滑りにくく、安全である。
請求項２記載の考案によれば、滑り止めが接続具の下面に略全面にわたって備えられたので、接続具がより一層滑りにくく、更に、安全性を向上できる。
請求項５記載の考案によれば、滑り止めに、下方に開口する孔及び／又は凹部が形成されたので、人が敷物セットにおける、接続具の上方側部分を踏んだ際に、上記孔や凹部の開口縁部が床に食い込むように密着して、接続具がより一層滑りにくくなり、滑り止めの機能を向上できて、安全性を向上できる。
請求項６記載の考案によれば、接続具の本体と滑り止めが異なる材料により形成されたので、本体を、面ファスナの係合部を形成するのに適した材料により形成できると共に、滑り止めを滑り止めに適した材料により形成できる。
請求項９記載の考案によれば、隣接する敷物の外周縁部を上側から覆被するカバーが備えられたので、接続具や隣接する敷物間の隙間が上から見えないようにできると共に、この隙間に埃等が溜まることも防止できる。又、カバーの上面を敷物の上面と同様に構成しておけば、複数の敷物が並設されているという違和感も少なくできる。
請求項１０記載の考案によれば、接続具に接続する被接続体を別途備えたので、ヘムテープの外面に面ファスナ用係合部を形成する必要がなく、ヘムテープとして、どのような種類のものでも使用できる。
【図面の簡単な説明】
【０００７】
【図１】本考案の実施の形態の第１例を示す斜視図である。
【図２】図１の分離した状態を示す斜視図である。
【図３】図１のＡ−Ａ線矢視断面図である。
【図４】図３の接続具の異なる部分の断面図である。
【図５】図４の下面図である。
【図６】図３のカバーの平面図である。
【図７】本考案の実施の形態の第２例を示す断面図である。
【図８】本考案の実施の形態の第３例を示す断面図である。
【図９】図８の平面図である。
【考案を実施するための形態】
【０００８】
以下、本考案の実施の形態の第１例を図１〜図６の図面に基づき説明すると、図１及び図２に示すように、敷物セットは、複数の敷物１と、接続具２と、カバー３を有する。
敷物１は、綿等の自然繊維製又はナイロン等の化学繊維製とされて、（略）正方形のマット状とされ、主体５とヘムテープ６（縁布）６を有する。
【０００９】
図３に示すように、主体５は、上下に重合された上側（表側）・下側（裏側）布地（生地）８，９と、これら布地８，９間に挟み込まれた中入れ材（芯材）１０を有する。上側布地８の上面には、起毛処理が施されて、多数の起毛が形成されている。下側布地９の下面には、塩化ビニル樹脂製とされた円盤状の滑り止め１１が等間隔に多数配設されている。中入れ材１０としては、例えば、薄い中入れ綿（中綿）や合成樹脂製の発泡体等から成るクッション材等が使用される。
【００１０】
ヘムテープ６は、横断面が略Ｕ形状となるように、折り曲げられて、その内部に、主体５である、上側・下側布地８，９及び中入れ材１０の外周縁部が挿入されると共に、これらがミシン等で縫合（縫着、縫製）１３されることで一体化されている。ヘムテープ６の外面には、極細の繊維が３〜７ｍｍの長さで起毛されると共に、それぞれの繊維同士が絡み合うようにされることで、略ループ状とされて、面ファスナの雌型係合部１４が構成されている。
【００１１】
接続具２は、隣接する敷物１の外周縁部における、対応する直線状の辺部を下側で分離可能に連結するもので、直線の帯状とされており、図４もに示すように、本体１６と滑り止め１７を有する。
【００１２】
本体１６は直線状の帯状とされており、ポリエチレン樹脂やポリプロピレン樹脂等の合成樹脂により一体形成されている。本体１６の上面には、上方に突出する多数のフック状又はキノコ状の係合素子が形成されて、面ファスナの雄型係合部１９が構成され、敷物１のヘムテープ６における、下側の雌型係合部１４に係脱自在に係合される。
【００１３】
滑り止め１７は接続具２の滑りを防止するもので、直線の帯状とされており、塩化ビニル樹脂等の合成樹脂により一体形成されている。尚、通常、本体１６と滑り止め１７は、異なる材料（合成樹脂）により形成されており、本体１６は、面ファスナの雄型係合部１９を形成するのに適した材料により形成され、滑り止め１７は、滑り止めに適した材料により形成されている。滑り止め１７は本体１６の下面に（略）全面にわたって重合されると共に、これらの両側縁部が、図５に示すように、かがり縫い２１されることで、滑り止め１７は本体１６に固定されている。尚、滑り止め１７を本体１６に対し、接着剤又は熱溶着により固定したり、或いは、これら固定手段とかがり縫いを併用することもある。滑り止め１７には、下方に開口する孔２２が間隔をおいて多数形成されている。尚、孔２２に代えて、或いは、孔２２と併用して、下方に開口する凹部を形成してもよい。
【００１４】
カバー３は、隣接する敷物１の外周縁部における、対応する直線状の辺部を上側から覆被するもので、直線の帯状とされており、上側部材２４と下側部材２５を有する。
【００１５】
上側部材２４は直線の帯状とされており、綿等の自然繊維製又はナイロン等の化学繊維製とされて、例えば、敷物１の上側布地８と同一又は類似の材料から成る。上側部材２４の上面は、上側布地８と同様に、起毛処理が施されて、多数の起毛が形成されている。
【００１６】
下側部材２５は直線の帯状とされており、ポリエチレン樹脂やポリプロピレン樹脂等の合成樹脂により形成されている。下側部材２５は上側部材２４の下面に（略）全面にわたって重合されると共に、これらの両側縁部が、図６に示すように、かがり縫い２６されることで、下側部材２５は上側部材２４に固定されている。尚、下側部材２５を上側部材２４に対し、接着剤又は熱溶着により固定したり、或いは、これら固定手段とかがり縫い２６を併用することもある。下側部材２５の下面には、下方に突出する多数のフック状又はキノコ状の係合素子が形成されて、面ファスナの雄型係合部２７が構成され、敷物１のヘムテープ６における、上側の雌型係合部１４に係脱自在に係合される。
【００１７】
上記構成例によれば、部屋における、敷物１を敷く箇所の面積に応じて、敷物１の数を決定し、上側布地８を表側として、敷物１を並設する。そして、隣接する敷物１の外周縁部における、対応する直線状の辺部同士を突き合わせて、これら辺部のヘムテープ６における、下側の雌型係合部１４に、接続具２の雄型係合部１９を係合すると共に、上記ヘムテープ６における、上側の雌型係合部１４に、カバー３の雄型係合部１９を係合する。
【００１８】
これにより、並設した敷物１を、接続具２及びカバー３により連結できる。又、カバー３により、接続具２や隣接する敷物１間の隙間を上側から覆被できるので、接続具２や上記隙間が上から見えないようにできると共に、この隙間に埃等が溜まることも防止できる。又、カバー３の上側部材２４の上面を敷物１の上側布地８の上面と同様に構成しておけば、複数の敷物１が並設されているという違和感も少なくできる。
【００１９】
又、接続具２の下面に滑り止め１７を備えたので、人が敷物セットにおける、接続具２の上方側部分を踏んだ際でも、接続具２が床上を滑りにくく、安全である。
【００２０】
特に、滑り止め１７が接続具２の下面に（略）全面にわたって備えられたので、接続具２がより一層滑りにくく、安全性を向上できる。又、滑り止め１７に、下方に開口する孔２２を間隔をおいて多数形成したので、人が敷物セットにおける、接続具２の上方側部分を踏んだ際に、孔２２の開口縁部が床に食い込むように密着して、接続具２がより一層滑りにくくなり、滑り止め１７の機能を向上できて、安全性を向上できる。
【００２１】
又、敷物１のヘムテープ６における、敷物セットの外周縁部を構成する部分には、接続具２が係合されず、直接、部屋の床面に当接することになるが、ヘムテープ６の外面には、雄型係合部１９でなく、雌型係合部１４が形成されているので、ヘムテープ６が部屋の床を傷つけることもない。
【００２２】
更に、ヘムテープ６により、敷物１の上下両面に雌型係合部１４が形成されているので、下側布地９の下面にも、上側布地８と同様に、起毛処理を施す等して、上側布地８と同様の構成とすれば、下側布地９を敷物１の表側としても利用でき、敷物１をリバーシブルタイプとして利用できる。この際、上側布地８と下側布地９の色彩や模様等のデザインを変えておくことにより、敷物１の色彩や模様等のデザイン的な変化を楽しむこともできる。
【００２３】
図７は本考案の実施の形態の第２例を示すもので、敷物１が、第１例と同様に構成された主体５と、ヘムテープ６と、被接続体３１を有する。ヘムテープ６には、面ファスナの雌型係合部が形成されていない。被接続体３１は直線状の帯状とされて、主体５の外周縁部の下方に配置され、その幅方向一側部（外側部）が主体５下面とヘムテープ６間に挿入されて、これらと縫合１３されると共に、幅方向他側部（内側部）が外部に露出されている。被接続体３１の下面には面ファスナ用の雌型係合部３２が形成されて、接続具２の雄型係合部１９と係脱自在に係合される。尚、被接続体３１における、幅方向他側部の下面にのみ、雌型係合部３２を形成してもよい。本例では、ヘムテープ６の外面を起毛して、面ファスナの雌型係合部を形成する必要がなく、ヘムテープ６として、どのような種類のものでも使用できる。
【００２４】
図８及び図９は本考案の実施の形態の第３例を示すもので、敷物１が、主体５と、被接続体３１を有する。主体５は、不織布や繊維を固めて成るものとされている。被接続体３１は第２例と同様の構成とされ、主体の外周縁部の下面に重合されて、かがり縫い３４により、主体５に固定されている。
【００２５】
尚、上記実施の形態では、接続具に雄型係合部を備えたが、接続具に雌型係合部を備えてもよい。又、上記実施の形態では、例えば、接続具に雄型係合部を備え、敷物に雌型係合部を備えたが、接続具及び敷物に、フック状係合素子等の雄型係合部とループ状係合素子等の雌型係合部が所定割合で混在するタイプの係合部を備えてもよい。
【産業上の利用可能性】
【００２６】
本考案は、各種敷物の連結用接続具や、敷物セットに適用できる。
【符号の説明】
【００２７】
１  敷物
２  接続具
３  カバー
５  主体
６  ヘムテープ
８，９  上側・下側布地
１０  中入れ材
１１  滑り止め
１４  雌型係合部
１６  本体
１７  滑り止め
１９，２７  雄型係合部
２２  孔
２４，２５  上側・下側部材
３１  被接続体
３２  雌型係合部
３４  かがり縫い
【図１】
0003182057.tif 000003
【図２】
0003182057.tif 000004
【図３】
0003182057.tif 000005
【図４】
0003182057.tif 000006
【図５】
0003182057.tif 000007
【図６】
0003182057.tif 000008
【図７】
0003182057.tif 000009
【図８】
0003182057.tif 000010
【図９】
0003182057.tif 000011